(57)【要約】      （修正有）【課題】あらかじめのくさび押込力を不要としたくさびクランプを提供する。【解決手段】２片のくさび５，５よりなるくさびクランプに於て、少なくとも１片のくさび内面はＶ字状形の溝を有するくさびとした。線状体に接するくさびの内面をＶ字状形の溝とした。クランプ本体２に仕切具を設け、この仕切具とくさび端面の間にコイルばねを介した。クランプ内に挿入された線状体の端末部にカラーを嵌め、このカラーと線状体端末部をネジで固定する構造とした。【選択図】図４
2012019672.tif 000002
【特許請求の範囲】
【請求項１】
２片のくさびよりなるくさびクランプに於て、少なくとも１片のくさび内面はＶ字状形の溝を有するくさびクランプ。
【請求項２】
クランプ内に挿入された線状体の端末部にカラーを嵌め、このカラーと線状体端末部をネジで固定する請求項１のくさびクランプ。
【請求項３】
クランプ本体に仕切具を設け、この仕切具とくさび端面の間にコイルばねを介した請求項１のくさびクランプ。
【発明の詳細な説明】
【技術分野】
【０００１】本発明は電線、ワイヤロープ及び鋼より線等の線状体を引留めるくさびクランプに関するものである。
【背景技術】
【０００２】従来のくさびクランプに使用されるくさびの内面形状は線状体に合致する様円溝を有していた。この事が結果としてあらかじめのくさび押込力を必要としていた。この事を理論的に以下説明する。
あらかじめのくさび押込力とこれによって生ずる線状体締付力の関係を図５に示した。この図に付されている記号について下記説明する。
Ｆ０  あらかじめのくさび押込力
Ｐ０  Ｆ０によって生ずる垂直抗力
Ｒ０  くさびと本体の摩擦力
α  くさびのテーパー角
Ｗ０  線状体締付力
これらのくさびに働く力の平衡から次式が得られる。
Ｆ０＝２（Ｐ０  ｓｉｎα＋Ｒ０  ｃｏｓα）
2012019672.tif 000003
であるからこれらを上式に代入すると
Ｆ０＝２Ｗ０（ｔａｎα＋μ）となり  これによりＷ０を求めると
2012019672.tif 000004
次に線状体の張力によって生ずる線状体締付力の関係を図６に示す。この図に付されている記号について下記説明する。
Ｆ  線状体張力
Ｐ  Ｆによって生ずる垂直抗力
Ｒ  くさびと本体の摩擦力
α  くさびのテーパー角
Ｗ１  線状体締付力
これらのくさびに働く力の平衡関係は図５と全く同一であるので上式のＷ０の代りにＷ１、Ｆ０の代りにＦを使用し
2012019672.tif 000005
となり、全体の締付力をＷとすると
2012019672.tif 000006
となり、この締付力Ｗが図７に示す様に上下２方向より線状体に作用する。この時、線状体が滑りを生じないためには次式を満足する必要がある。
Ｆ≦２Ｗμ  但しμは線状体とくさびの摩擦係数
このＷに▲１▼式を代入して
2012019672.tif 000007
となり、この様に従来のくさびクランプはあらかじめのくさび押込力が必要となる。
例えばα＝３°  μ＝０．１５とした場合Ｆ０≦０．３５ＦとなりＦ＝５０００ｋｇｆの線状体を引留めるにはあらかじめＦ０＝１７５０ｋｇｆ以上のくさび押込力が必要となる。
【発明の概要】
【発明が解決しようとする課題】
【０００３】従来のくさびクランプはあらかじめのくさび押込力が必要のため、押込工具を現場に持込み、押込作業を行い、押込力が適正であるかどうかの施工管理に十分注意を払う等種々の問題があった。
【課題を解決するための手段】
【０００４】本発明は線状体と接するくさび内面の形状をＶ字状形にすることにより、あらかじめのくさび押込力を不要とした。これを理論的に以下説明する。
図８に本発明の実施例その１を示す。これは下側のくさび３は従来と同様円溝を有しており、上側のくさび４はＶ字状形を有するものである。図８に付されている記号について下記説明する。
Ｗ  線状体締付力
Ｎ  Ｗによって発生するくさびのＶ字状面の垂直抗力（線状体締付力）
Ｒ  線状体とくさびの摩擦力
θ  Ｖ字状溝の半角
これらのくさびに働く力の平衡から次式が得られる。
Ｗ＝２（Ｎｓｉｎθ＋Ｒｃｏｓθ）
ここでＲ＝Ｎμであるから上式は
Ｗ＝２Ｎ（ｓｉｎθ＋μｃｏｓθ）
となり、これよりＮを求めると
2012019672.tif 000008
この実施例その１は図８に示す様にくさび４からはＮが２方向、くさび３からはＷが下方向より計３方向から線状体締付力が作用する。この時、線状体が滑りを生じないためには次式を満足する必要がある。
Ｆ≦（Ｗ＋２Ｎ）μ  但しμは線状体とくさびの摩擦係数
このＮに上式を代入して
2012019672.tif 000009
このＷに▲１▼式を代入して
2012019672.tif 000010
これよりＦ０を求めると
2012019672.tif 000011
となる。ここでＦ０＝０とすると｛  ｝＝０であるから
2012019672.tif 000012
となり、この式より  ｔａｎαを求めると
2012019672.tif 000013
となり、この式を満足する様テーパー角αを設定すればあらかじめのくさび押込力Ｆ０＝０でも線状体は滑りを生じない。例えばＶ字状溝の半角θ＝３０°の場合、μ＝０．１５とした場合ｔａｎα＝０．０４４となりα≦２．５２°のテーパー角であればあらかじめのくさび押込力は不要となる。
次に図９に示した本発明実施例その２について説明する。この実施例のくさび５は上下共に同じもので、くさび内面の形状はＶ字状溝を有しており、Ｖ字状溝の底面も線状体に接するものである。図９に付されている記号説明は図８の場合と同一である。
この実施例は線状体締付力Ｗに対して図９に示す様にａ、ｂ、ｃ点の３点に垂直荷重が夫々１／３づつ線状体に作用する。この場合、くさびに働く力の平衡から次式が得られる。
2012019672.tif 000014
Ｒ＝Ｎμであるからこれを上式に代入して
2012019672.tif 000015
これよりＮを求めると
2012019672.tif 000016
となり、この実施例の場合、図９に示す様に６方向から線状体締付力が作用し、線状体が滑りを生じないためには次式を満足する必要がある。
2012019672.tif 000017
このＮに上式を代入して
2012019672.tif 000018
このＷに▲１▼式を代入して
2012019672.tif 000019
これよりＦ０を求めると
2012019672.tif 000020
となる。ここでＦ０＝０とすると｛  ｝＝０であるから
2012019672.tif 000021
これよりｔａｎαを求めると
2012019672.tif 000022
となり、この式を満足する様テーパー角を設定すればあれかじめのくさび押込力Ｆ０＝０でも線状体は滑りを生じない。例えばＶ字状溝の半角θ＝３０°の場合、μ＝０．１５とした場合ｔａｎα＝０．０５９となりα≦３．３７°のテーパー角であればあらかじめのくさび押込力は不要となる。
【発明の効果】
【０００５】本発明は前述の様にあらかじめのくさび押込力が不要であるため、クランプに線状体を差し込むだけで済むので作業時間が短縮でき、施工管理もきわめて楽になる。性能面ではくさび押込作業等の人為的要素の影響を受けず、テーパー角等設計的要素で性能が決まるので安定した性能が得られる。
【図面の簡単な説明】
【０００６】
【図１】従来品及び本発明の縦断面図
【図２】従来品の図１に於けるＡ−Ｂ断面図
【図３】本発明実施例その１の図１に於けるＡ−Ｂ断面図
【図４】本発明実施例その２の図１に於けるＡ−Ｂ断面図
【図５】くさび押込力によるクランプ内の力の平衡説明図
【図６】線状体張力によるクランプ内の力の平衡説明図
【図７】従来品のくさびと線状体との嵌合状況説明図
【図８】本発明実施例その１のくさびと線状体との嵌合状況説明図
【図９】本発明実施例その２のくさびと線状体との嵌合状況説明図
【図１０】本発明実施例その３
【図１１】本発明実施例その４
【発明を実施するための形態】
【０００７】以下、本発明の実施の形態について説明する。
これまで、本発明のくさびクランプはあらかじめのくさび押込力が不要であることを理論的に説明したが、これは線状体が真直であることが前提条件である。実際の線状体はドラム等に巻かれたり、把取りされており、そのため曲りぐせが付いている。その曲りくせを直す対策として本発明実施例その３を図１０に示す。この実施例は線状体１をクランプに挿入し、線状体の端末部にカラー６を嵌めカラーと線状体端末部をネジ７で固定するものである。線状体に張力が作用し始めるとカラーがくさびを押込みながら線状体が真直になる。この真直になった時点でカラーの役目は終了するがそのまゝ取り付けておいて差支えない。
又、曲りくせ対策として本発明実施例その４を図１１に示す。この実施例はクランプ本体２に仕切具９を設け、これとくさび端面の間にコイルばね８を介したものである。このばねは線状体が真直になるに必要な力でくさびに作用するものでクランプとしての引留力には寄与しない。
【符号の説明】
【０００８】１  線状体
２  クランプ本体
３  従来品のくさび
４  本発明実施例その１のくさび
５  本発明実施例その２のくさび
６  カラー
７  ネジ
８  コイルばね
９  仕切具
【図１】
2012019672.tif 000023
【図２】
2012019672.tif 000024
【図３】
2012019672.tif 000025
【図４】
2012019672.tif 000026
【図５】
2012019672.tif 000027
【図６】
2012019672.tif 000028
【図７】
2012019672.tif 000029
【図８】
2012019672.tif 000030
【図９】
2012019672.tif 000031
【図１０】
2012019672.tif 000032
【図１１】
2012019672.tif 000033